(57)【要約】【課題】レンズ組立工程と基板装着工程に分離しても組み立てることができるレンズ装置組立方法を提供する。【解決手段】  前部鏡胴の径が後部鏡胴よりも大きく外観が漏斗状であるレンズ鏡胴と、レンズを保持するレンズ枠と、前記レンズ枠に螺合し該レンズ枠を前記レンズ鏡胴にネジ止めするネジ兼基板固定用柱と、前記後部鏡胴に回転可能に装着され前記ネジ兼基板固定用柱と干渉する位置に切り欠きが設けられている可動リングと、を備えるレンズユニットを組み立てるレンズ組立工程と、前記可動リングを回転駆動させるための駆動機構が搭載され、かつ、前記可動リングと略同一形状の開口が形成されている基板の該開口に前記可動リングを挿入し通過させた後、該開口周囲のうち前記切り欠きに対応する部分を前記ネジ兼基板固定用柱先端に着座固定する基板装着工程と、前記開口に前記可動リングを挿入し通過させた後、前記可動リングに前記駆動機構に連結されるリングギアを固定する歯車装着工程と、を備えることを特徴とするレンズ装置組立方法。【選択図】  図２
2007272092.tif 000002
【特許請求の範囲】
【請求項１】
前部鏡胴と、前記前部鏡胴よりも小径の後部鏡胴と、前記前部鏡胴と前記後部鏡胴とを連結する円形部と、を有するレンズ鏡胴と、
レンズを保持するレンズ枠と、
前記円形部に形成されたネジ孔を介して前記レンズ枠に螺合し該レンズ枠を前記レンズ鏡胴にネジ止めするネジ部分を有するネジ兼基板固定用柱と、
前記後部鏡胴の外周面に回転可能に装着されるとともに前記ネジ兼基板固定用柱と干渉する位置に切り欠きが設けられている可動リングと、を備えるレンズユニットを組み立てるレンズ組立工程と、
前記可動リングを回転駆動させるための駆動機構が搭載され、かつ、前記可動リングと略同一形状の開口が形成されている基板の該開口に前記可動リングを挿入し通過させた後、該開口周囲のうち前記切り欠きに対応する部分を前記ネジ兼基板固定用柱先端に着座させ固定する基板装着工程と、
前記開口に前記可動リングを挿入し通過させた後、前記可動リングに前記駆動機構に連結されるリングギアを固定する歯車装着工程と、
を備えることを特徴とするレンズ装置組立方法。
【請求項２】
前記可動リングはアイリスリングであることを特徴とする請求項１に記載のレンズ装置組立方法。
【請求項３】
前部鏡胴と、前記前部鏡胴よりも小径の後部鏡胴と、前記前部鏡胴と前記後部鏡胴とを連結する円形部と、を有するレンズ鏡胴と、
レンズを保持するレンズ枠と、
前記円形部に形成されたネジ孔を介して前記レンズ枠に螺合し該レンズ枠を前記レンズ鏡胴にネジ止めするネジ部分を有するネジ兼基板固定用柱と、
前記後部鏡胴の外周面に回転可能に装着されるとともに前記ネジ兼基板固定用柱と干渉する位置に切り欠きが設けられている可動リングと、を備えるレンズユニットと、
前記可動リングを回転駆動させるための駆動機構が搭載され、かつ、前記可動リングと略同一形状の開口が形成されており、該開口周囲のうち前記切り欠きに対応する部分が前記ネジ兼基板固定用柱先端に固定される基板と、
前記可動リングに固定されるとともに前記駆動機構に連結されるリングギアと、
を備えることを特徴とするレンズ装置。
【請求項４】
前記可動リングはアイリスリングであることを特徴とする請求項３に記載のレンズ装置。
【発明の詳細な説明】
【技術分野】
【０００１】
本発明は、レンズ装置に係り、特に前部鏡胴の径が後部鏡胴よりも大きく漏斗状の外観を持つレンズ装置に関する。
【背景技術】
【０００２】
従来、前部鏡胴の径が後部鏡胴よりも大きく漏斗状の外観を持つマニュアル絞り魚眼レンズが知られている。
【０００３】
図３は、従来のマニュアル絞り魚眼レンズ装置の例を説明するための図である。図３に示すように、この魚眼レンズ装置１０´は、前部鏡胴２１ａ´と、前部鏡胴２１ａ´よりも小径の後部鏡胴２１ｂ´と、前部鏡胴２１ａ´と後部鏡胴２１ｂ´とを連結する円形部２１ｃ´とからなるレンズ鏡胴２１´、を備えている。レンズ鏡胴２１´には魚眼レンズ２２´を保持するレンズ枠（図示せず）が収容されており、このレンズ枠は円形部２１ｃ´に形成されたネジ孔２１ｃ１´を介して螺合するネジＮによりレンズ鏡胴２１´にネジ止めされている。後部鏡胴２１ｂ´の外周面にはアイリス操作リングＲが回転可能に装着されており、このアイリス操作リングＲを手動で操作することが可能となっている。
【０００４】
上記レンズ装置をサーボ駆動化するには、例えば、図４に示すように、アイリス操作リングＲをモータ等の駆動機構に連結されるリングギアＲＧに置き換え、ネジＮの代わりにネジ兼基板固定用柱２４´を設け、このネジ兼基板固定用柱２４´に上記モータ等の駆動機構が搭載された基板３０´を設けることが考えられる。
【０００５】
なお、本発明と関連すると思われるものとして、例えば、魚眼レンズを用いた移動物体自動監視システムがある（特許文献１）。
【特許文献１】特許２７５８５７１号
【発明の開示】
【発明が解決しようとする課題】
【０００６】
しかしながら、ネジ兼基板固定用柱２４´がネジ止めされるネジ穴は後部鏡胴２１ｂ´から充分に離れた位置にあるとは限らないため、リングギアＲＧの歯の部分がネジ兼基板固定用柱２４´と基板３０´のネジ止めの邪魔となる。
【０００７】
この対策としては、リングギアＲＧを組む前にネジ兼基板固定用柱２４´と基板３０´のネジ止めを行うことも考えられるが、基板装着工程がレンズ組立工程（リングギアの装着等）に割って入ることになり、特にレンズ組立工程と基板装着工程を別にしたい場合望ましくない。
【０００８】
本発明は、このような事情に鑑みてなされたものであり、レンズ組立工程と基板装着工程に分離しても組み立てることができるレンズ装置組立方法を提供することを目的とする。
【課題を解決するための手段】
【０００９】
本発明は上記課題を解決するためになされたものであり、請求項１に記載の発明は、前部鏡胴と、前記前部鏡胴よりも小径の後部鏡胴と、前記前部鏡胴と前記後部鏡胴とを連結する円形部と、を有するレンズ鏡胴と、レンズを保持するレンズ枠と、前記円形部に形成されたネジ孔を介して前記レンズ枠に螺合し該レンズ枠を前記レンズ鏡胴にネジ止めするネジ部分を有するネジ兼基板固定用柱と、前記後部鏡胴の外周面に回転可能に装着されるとともに前記ネジ兼基板固定用柱と干渉する位置に切り欠きが設けられている可動リングと、を備えるレンズユニットを組み立てるレンズ組立工程と、前記可動リングを回転駆動させるための駆動機構が搭載され、かつ、前記可動リングと略同一形状の開口が形成されている基板の該開口に前記可動リングを挿入し通過させた後、該開口周囲のうち前記切り欠きに対応する部分を前記ネジ兼基板固定用柱先端に着座させ固定する基板装着工程と、前記開口に前記可動リングを挿入し通過させた後、前記可動リングに前記駆動機構に連結されるリングギアを固定する歯車装着工程と、を備えることを特徴とする。
【００１０】
請求項１に記載の発明によれば、レンズ組立工程においては可動リングの装着を行うことができ、基板装着工程においては基板の開口に可動リングを挿入し通過させた後、その開口周囲のうち可動リングの切り欠きに対応する部分をネジ兼基板固定用柱先端に着座させ固定し、さらに、リングギアを可動リングに組み付ける（固定する）ことが可能となる。すなわち、レンズ組立工程と基板装着工程に分離してもレンズ装置を組み立てることが可能となる。
【００１１】
請求項２に記載の発明は、請求項１に記載の発明において、前記可動リングはアイリスリングであることを特徴とする。
【００１２】
請求項２に記載の発明によれば、レンズ組立工程においてはアイリスリングの装着を行うことができ、基板装着工程においては基板の開口にアイリスリングを挿入し通過させた後、その開口周囲のうちアイリスリングの切り欠きに対応する部分をネジ兼基板固定用柱先端に着座させ固定し、さらに、リングギアをアイリスリングに組み付ける（固定する）ことが可能となる。すなわち、レンズ組立工程と基板装着工程に分離してもレンズ装置を組み立てることが可能となる。
【００１３】
請求項３に記載の発明は、前部鏡胴と、前記前部鏡胴よりも小径の後部鏡胴と、前記前部鏡胴の一端面と前記後部鏡胴の一端面とを連結する円形部と、を有するレンズ鏡胴と、レンズを保持するレンズ枠と、前記円形部に形成されたネジ孔を介して前記レンズ枠に螺合し該レンズ枠を前記レンズ鏡胴にネジ止めするネジ部分を有するネジ兼基板固定用柱と、前記後部鏡胴の外周面に回転可能に装着されるとともに前記ネジ兼基板固定用柱と干渉する位置に切り欠きが設けられている可動リングと、を備えるレンズユニットと、前記可動リングを回転駆動させるための駆動機構が搭載され、かつ、前記可動リングと略同一形状の開口が形成されており、該開口周囲のうち前記切り欠きに対応する部分が前記ネジ兼基板固定用柱先端に着座し固定される基板と、前記可動リングに固定されるとともに前記駆動機構に連結されるリングギアと、を備えることを特徴とする。
【００１４】
請求項３に記載の発明によれば、駆動機構により可動リング（例えばアイリスリング）を回転駆動させることが可能となる。
【００１５】
請求項４に記載の発明は、請求項３に記載の発明において、前記可動リングはアイリスリングであることを特徴とする。
【００１６】
請求項４に記載の発明によれば、駆動機構により可動リング（例えばアイリスリング）を回転駆動させることが可能となる。
【発明の効果】
【００１７】
本発明によれば、レンズ組立工程と基板装着工程に分離しても組み立てることができるレンズ装置組立方法を提供することが可能となる。
【発明を実施するための最良の形態】
【００１８】
以下、本発明に係るレンズユニットの第１実施形態について図面を参照しながら説明する。
【００１９】
図１は、本発明に係るレンズユニットの第１実施形態を説明するための図である。
【００２０】
図１に示すように、レンズ装置１０は、レンズユニット２０、基板３０、及びリングギア４０等を備えている。レンズユニット２０は、レンズ鏡胴２１等を備えている。
【００２１】
レンズ鏡胴２１は、略円筒形の前部鏡胴２１ａ及び前部鏡胴２１ａよりも小径の後部鏡胴２１ｂを備えている。前部鏡胴２１ａの一端２１ａ１と後部鏡胴２１ｂの一端２１ｂ１とは円形部２１ｃにより連結されており（例えば前部鏡胴２１ａ、後部鏡胴２１ｂ、円形部２１ｃは一体成型されており）、レンズ鏡胴２１は全体として漏斗状の外観を呈している。
【００２２】
レンズ鏡胴２１にはレンズ２２（例えば魚眼レンズ）を保持したレンズ枠２３が収容されている。レンズ枠２３は、円形部２１ｃに形成されたネジ穴２１ｃ１を介して挿入されるネジ兼基板固定用柱２４のネジ部分２４ａが螺合することにより、レンズ鏡胴２１に固定されている。ネジ兼基板固定用柱２４のネジ部分２４ａとは反対側の端面２４ｂには後述する基板３０が着座しネジ止めにより固定される。なお、ネジ穴２１ｃ１はレンズ鏡胴２１を小型化する等の観点より、なるべく光軸に近い位置である円形部２１ｃの後部鏡胴２１ｂ寄りの位置に設けられている。
【００２３】
後部鏡胴２１ｂの外周面にはアイリスリング２５（本発明の可動リングに相当）が回転可能に装着されている。後部鏡胴２１ｂの外周面にはピン２６が設けられており、このピン２６の先端がアイリスリング２５の内周面に形成された溝２５ａ（周方向に延びている溝）に挿入されている。すなわち、アイリスリング２５は、ピン２６と溝２５ａとの関係によりレンズ鏡胴２１の軸方向に移動せず、同一位置で回転可能となっている。アイリスリング２５にはネジ兼基板固定用柱２４（の延長線）と干渉する位置に切り欠き２５ｂが設けられている。図２では、四つのネジ兼基板固定用柱２４が設けられているので、切り欠き２５ｂも四つ設けられている。
【００２４】
基板３０にはアイリスリング２５が挿入され通過可能なように、その厚み方向にアイリスリング２５（の輪郭）と略同一形状の開口３１が形成されている。基板３０の切り欠き２５ｂに対応する部分３２（以下フランジ部分３２ともいう）にはその厚み方向にネジ穴３３が貫通している。基板３０は、その開口３１にアイリスリング２５を挿入し通過させた後、そのフランジ部分３２をネジ兼基板固定用柱２４の端面２４ｂ（先端面）に着座させネジ穴３３を介してネジ止めすることにより固定される。なお、基板３０にはアイリスリング２５を回転駆動させるためのモータ３４等が搭載されている。
【００２５】
アイリスリング２５の一端面２５ｃには外周面にギア４１が形成されたリングギア４０がネジ止めされている。リングギア４０は、基板３０がネジ兼基板固定用柱２４の端面２４ｂにネジ止めされた後、アイリスリング２５にネジ止めにより固定される。この固定された状態で、外周面のギア４１には基板３０に設けられているギアＧ１が噛み合う。また、このギアＧ１にはモータ３４の回転軸に設けられたギアＧ２が噛み合っている。すなわち、リングギア４０（すなわちアイリスリング２５）はモータ３４により回転駆動される構成となっている。
【００２６】
後部鏡胴２１ｂの端部にはリング状のシール材５０及びリング状の押さえ環６０が設けられている。
【００２７】
次に、上記構成のレンズ装置１０の組立方法について説明する。
【００２８】
本実施形態のレンズ装置１０は、レンズ組立工程、基板装着工程、歯車装着工程を経て完成する。
【００２９】
まず、レンズ組立工程において、レンズユニット２０を組み立てる。例えば、図３に示すようなマニュアル操作可能なレンズユニットのネジＮをネジ兼基板固定用柱２４に付け替えるとともに、そのアイリス操作リングＲをアイリスリング２５に付け替える。これにより、図２に示すレンズユニット２０を組み立てる。すなわち、本実施形態のレンズユニット２０は、マニュアル操作可能なレンズ鏡胴の一部部品（ネジＮ及びアイリス操作リングＲ等）を付け替えることにより構成されるものである。
【００３０】
次に、基板装着工程において、基板３０をネジ兼基板固定用柱２４に固定する。すなわち、基板３０の開口３１にアイリスリング２５を挿入し通過させた後、基板３０のフランジ部分３２をネジ兼基板固定用柱２４の端面２６ｂ（先端面）に着座させネジ穴３３を介してネジ止めする。これにより、基板３０をネジ兼基板固定用柱２４に固定する。このネジ止めに際しては、アイリスリング２５の切り欠き２５ｂにドライバーを位置させることが可能であるので、アイリスリング２５が邪魔にならず、ネジ止めし易くなっている。また、ネジ兼基板固定用柱２４に対してネジと基板固定用支持台の二つの機能を持たせているので、レンズ装置１０を比較的少数の部品で、かつ、安価に構成することが可能となる。
【００３１】
そして、次に、歯車装着工程において、アイリスリング２５にリングギア４０を固定する。すなわち、アイリスリング２５の一端面２５ｃにリングギア４０をネジ止めすることにより、アイリスリング２５にリングギア４０を固定する。これにより、リングギア４０外周面のギア４１には基板３０に設けられているギアＧ１が噛み合う。
【００３２】
以上により、レンズ装置１０が組み立てられる。
【００３３】
なお、レンズ装置１０は必要に応じてケース８０内に収容される。図１は、ケース本体８１の底面にその厚み方向に開口８１ａを貫通させるとともに、ケース本体８１の蓋８２にその厚み方向に開口８２ａを貫通させ、開口８１ａから前部鏡胴２１ａの先端部（すなわちレンズ２２）を露出させるとともに、開口８２ａから後部鏡胴２１ｂの後端部を露出させた例である。
【００３４】
以上説明したように、本実施形態のレンズ装置によれば、アイリスリング２５のネジ兼基板固定用柱２４と干渉する位置には切り欠き２５ｂが設けられており、基板３０にはアイリスリング２５を挿入し通過できるようにアイリスリング２５と略同一形状の開口３１が形成されており、かつ、アイリスリング２５にリングギア４０を固定するように構成されている。
【００３５】
したがって、レンズ組立工程においてはアイリスリング２５の装着を行うことができ、基板装着工程においては基板３０の開口３１にアイリスリング２５を挿入し通過させた後、その開口３１周囲のうちアイリスリング２５の切り欠きに対応する部分（フランジ部分３２）をネジ兼基板固定用柱２４の先端面２４ｂに着座させ固定し、さらに、リングギア４０をアイリスリング２５に組み付ける（固定する）ことが可能となる。すなわち、レンズ組立工程と基板装着工程に分離してもレンズ装置１０を組み立てることが可能となる。
【００３６】
また、マニュアル操作可能なレンズユニット（図３参照）を、駆動機構（モータ３４等）によりアイリスリング２５を回転駆動可能なレンズ装置とすることが可能となる。
【００３７】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３８】
【図１】本発明に係るレンズ装置の内部構成を説明するための断面図である。
【図２】本発明に係るレンズ装置を構成する各部品を説明するための図である。
【図３】マニュアル操作可能なレンズ装置の例である。
【図４】マニュアル操作可能なレンズ装置の例である。
【符号の説明】
【００３９】
１０…レンズ装置、２０…レンズユニット、２１…レンズ鏡胴、２１ａ…前部鏡胴、２１ａ１…一端、２１ｂ…後部鏡胴、２１ｂ１…一端、２１ｃ…円形部、２１ｃ１…ネジ穴、２２…レンズ、２３…レンズ枠、２４…ネジ兼基板固定用柱、２４ａ…ネジ部分、２４ｂ…端面、２５…アイリスリング、２５ａ…溝、２５ｃ…一端面、２６…ピン、２６ｂ…端面、３０…基板、３１…開口、３２…フランジ部分、３３…ネジ穴、３４…モータ、４０…リングギア、４１…ギア、５０…シール材、６０…固定用押さえ環、８０…ケース、８１…ケース本体、８１ａ…開口、８２…蓋、８２ａ…開口、Ｇ１…ギア、Ｇ２…ギア、Ｎ…ネジ、Ｒ…アイリス操作リング
【図１】
2007272092.tif 000003
【図２】
2007272092.tif 000004
【図３】
2007272092.tif 000005
【図４】
2007272092.tif 000006